(57)【要約】【課題】複数の印刷ヘッドにて各々形成されるドットの形成位置を各々適切に調整することが可能な調整用パターンの形成方法等を実現する。【解決手段】インク吐出部を複数備えた少なくとも２つのインク吐出部群を用いて１つの画像を印刷させることが可能な印刷装置にて、互いに異なる前記インク吐出部群により各々形成されるドットの位置を調整するための調整用パターンの形成方法であって、いずれかの第１インク吐出部群にて、第１サブパターンを形成するステップと、前記第１インク吐出部群と異なる第２インク吐出部群にて、前記第１サブパターンと識別可能な第２サブパターンを形成するステップとを有する。【選択図】    図１２
2006007616.tif 000002
【特許請求の範囲】
【請求項１】
インク滴を吐出して印刷媒体にドットを形成するためのインク吐出部を複数備えた少なくとも２つのインク吐出部群を用いて１つの画像を印刷させることが可能な印刷装置にて、互いに異なる前記インク吐出部群により各々形成されるドットの位置を調整するための調整用パターンの形成方法であって、
前記少なくとも２つのインク吐出部群のうち、いずれかの第１インク吐出部群に備えられたインク吐出部からインク滴を吐出させて、前記調整用パターンに含まれる第１サブパターンを形成するステップと、
前記第１インク吐出部群と異なる第２インク吐出部群に備えられたインク吐出部からインク滴を吐出させて、前記調整用パターンに含まれるとともに、前記第１サブパターンと識別可能な第２サブパターンを形成するステップと、
を有することを特徴とする調整用パターンの形成方法。
【請求項２】
請求項１に記載の調整用パターンの形成方法であって、
前記１つの画像は、各々の前記インク吐出部に割り付けられた領域に前記インク吐出部からインク滴を吐出させて形成され、
前記第１サブパターン及び前記第２サブパターンは、各々の前記インク吐出部に割り付けられた領域にインク滴が吐出されて形成されることを特徴とする調整用パターンの形成方法。
【請求項３】
請求項１又は請求項２に記載の調整用パターンの形成方法であって、
前記画像は複数の印刷モードにて印刷可能であり、
前記調整用パターンは、前記印刷モードに応じてそれぞれ形成されることを特徴とする調整用パターンの形成方法。
【請求項４】
請求項１乃至請求項３のいずれかに記載の調整用パターンの形成方法であって、
各々の前記インク吐出部群は、複数色のインクを吐出可能な前記インク吐出部を有しており、
前記第１サブパターンと、前記第２サブパターンとは、形成されるドットの色の相違により、識別可能であることを特徴とする調整用パターンの形成方法。
【請求項５】
請求項１乃至請求項４のいずれかに記載の調整用パターンの形成方法であって、
前記第１サブパターンと、前記第２サブパターンとを形成する際に、各々のサブパターンを形成するためにインク滴を吐出したインク吐出部を備えたインク吐出部群を示す吐出部群情報が各々印刷され、
前記第１サブパターンと、前記第２サブパターンとは、前記吐出部群情報により識別可能であることを特徴とする調整用パターンの形成方法。
【請求項６】
請求項１乃至請求項５のいずれかに記載の調整用パターンの形成方法であって、
前記印刷媒体は、所定方向に沿って間欠的に搬送され、
前記第１サブパターン及び前記第２サブパターンは、搬送された前記印刷媒体に、前記少なくとも２つのインク吐出部群が前記所定方向と交差する移動方向に移動されつつ、前記インク吐出部からインク滴が吐出されて形成された、前記移動方向に沿ったドット列であることを特徴とする調整用パターンの形成方法。
【請求項７】
請求項６に記載の調整用パターンの形成方法であって、
前記第１サブパターンのドット列にて構成される線と、前記第２サブパターンのドット列にて構成される線とは、前記線の種類の相違により、識別可能であることを特徴とする調整用パターンの形成方法。
【請求項８】
請求項５乃至請求項７のいずれかに記載の調整用パターンの形成方法であって、
前記第１サブパターン、及び、前記第２サブパターンは、前記移動方向における少なくとも一方の端部の位置が前記インク吐出部群毎に異なるように形成され、
前記吐出部群情報は、前記一方の端部の移動方向における位置に対応させて、前記インク吐出部群毎に位置が異なるように印刷されることを特徴とする調整用パターンの形成方法。
【請求項９】
請求項６乃至請求項８のいずれかに記載の調整用パターンの形成方法であって、
各々の前記インク吐出部群が有する複数の前記インク吐出部は、前記移動方向に間隔を隔てて配置されており、
前記第１サブパターンは、第１インク吐出部群が有する前記移動方向に間隔を隔てて配置された２つのインク吐出部からインク滴を吐出させて形成され、
前記第２サブパターンは、第２インク吐出部群が有する前記移動方向に間隔を隔てて配置された２つのインク吐出部からインクを吐出させて形成されることを特徴とする調整用パターンの形成方法。
【請求項１０】
複数色のインク滴を吐出可能であり、前記インク滴を吐出して、所定方向に沿って間欠的に搬送される印刷媒体にドットを形成するためのインク吐出部を複数備えた少なくとも２つのインク吐出部群を用い、各々の前記インク吐出部に割り付けられた領域に前記インク吐出部からインク滴を吐出させて１つの画像を複数の印刷モードにて印刷させることが可能な印刷装置にて、前記印刷モードに応じてそれぞれ形成され、互いに異なる前記インク吐出部群により各々形成されるドットの位置を調整するための調整用パターンの形成方法であって、
前記所定方向と交差する移動方向に移動されつつ、前記少なくとも２つのインク吐出部群のうち、いずれかの第１インク吐出部群に、前記移動方向に間隔を隔てて備えられた２つのインク吐出部から、搬送された前記印刷媒体における当該インク吐出部に割り付けられた領域にそれぞれインク滴を吐出させて形成された、前記移動方向に沿ったドット列にて構成される線である、前記調整用パターンに含まれる第１サブパターンと、当該第１サブパターンを形成するためにインク滴を吐出したインク吐出部を備えたインク吐出部群を示す吐出部群情報とを形成するステップと、
前記所定方向と交差する移動方向に移動されつつ、前記第１インク吐出部群と異なる第２インク吐出部群に、前記移動方向に間隔を隔てて備えられた２つのインク吐出部から、当該インク吐出部に割り付けられた領域に前記第１サブパターンと異なる色のインク滴をそれぞれ吐出させて形成された、前記移動方向に沿ったドット列にて構成され前記第１サブパターンとは相違する種類の線であり、前記移動方向における少なくとも一方の端部の位置が前記インク吐出部群毎に異なるように形成され、前記調整用パターンに含まれるとともに、前記第１サブパターンと識別可能とする、第２サブパターン及び前記一方の端部の移動方向における位置に対応させて、前記インク吐出部群毎に位置が異なるように配置させて、当該第２サブパターンを形成するためにインク滴を吐出したインク吐出部を備えたインク吐出部群を示す吐出部群情報を形成するステップと、
を有することを特徴とする調整用パターンの形成方法。
【請求項１１】
インク滴を吐出して印刷媒体にドットを形成するためのインク吐出部を複数備えた少なくとも２つのインク吐出部群を用いて１つの画像を印刷させることが可能な印刷装置にて、互いに異なる前記インク吐出部群により各々形成されるドットの位置を調整するための調整用パターンであって、
前記少なくとも２つのインク吐出部群のうち、いずれかの第１インク吐出部群に備えられたインク吐出部からインク滴を吐出させて形成された、前記調整用パターンに含まれる第１サブパターンと、
前記第１インク吐出部群と異なる第２インク吐出部群に備えられたインク吐出部からインク滴を吐出させて形成された、前記調整用パターンに含まれるとともに、前記第１サブパターンと識別可能な第２サブパターンと、
を有することを特徴とする調整用パターン。
【請求項１２】
（Ａ）インク滴を吐出して印刷媒体にドットを形成するためのインク吐出部を複数備えた、少なくとも２つインク吐出部群と、
（Ｂ）前記インク吐出部からインク滴を吐出させて、前記少なくとも２つのインク吐出部群にて、１つの画像を印刷させることを可能とし、以下の（ａ）及び（ｂ）を有する調整用パターンを形成させることが可能な制御部と、
（ａ）互いに異なる前記インク吐出部群にて各々形成されるドットの形成位置を制御するための調整用パターンであって、前記少なくとも２つのインク吐出部群のうち、いずれかの第１インク吐出部群に備えられたインク吐出部からインク滴を吐出させて形成される第１サブパターン、
（ｂ）前記第１インク吐出部群と異なる第２インク吐出部群に備えられたインク吐出部からインク滴を吐出させて形成され、前記第１サブパターンと識別可能な第２サブパターン、
（Ｃ）を有することを特徴とする印刷装置。
【発明の詳細な説明】
【技術分野】
【０００１】
この発明は、複数のインク吐出部群にて形成されるドットの位置を調整するための調整用パターンの形成方法、調整用パターン、及び、印刷装置に関する。
【背景技術】
【０００２】
複数のインク吐出部を有する少なくとも２つの印刷ヘッドが同一のキャリッジに固定されたインクジェットプリンタにて、互いに異なる複数の印刷ヘッドを用いて１つの画像を印刷する場合がある。そして例えば、同一のキャリッジに固定された複数の印刷ヘッドの各々相対位置が設計時の想定位置と異なっていた場合には、各印刷ヘッドのインク吐出部から吐出されたインクにて形成されるドットの形成位置が目標位置と異なり、良好な画像を印刷することができない場合がある。このため、従来では、キャリッジを移動させつつ各印刷ヘッドのインク吐出部からインクを吐出させてラインを印刷し、印刷されたラインの間隔を測定した結果に基づいて、各印刷ヘッドの位置を調整している（例えば、特許文献１参照）。
【特許文献１】特開平２００４−１３６５５５号公報
【発明の開示】
【発明が解決しようとする課題】
【０００３】
しかしながら、複数の印刷ヘッドにて、各々形成されるドットの位置を調整する場合には、調整用の印刷パターンに調整すべき印刷ヘッドの数だけドットが形成され、いずれのドットが、どの印刷ヘッドにて形成されたドットであるかを識別することが難しい。このため、各々の印刷ヘッドにて形成されたドット間の相互のズレ量を認識することができず、ドットの形成位置を適切に調整することができない畏れがある。
【０００４】
この発明は、かかる課題に鑑みてなされたものであり、複数の印刷ヘッドにて各々形成されるドットの形成位置を各々適切に調整することが可能な調整用パターンの形成方法、調整用パターン、及び、印刷装置を提供することを目的とする。
【課題を解決するための手段】
【０００５】
主たる発明は、インク滴を吐出して印刷媒体にドットを形成するためのインク吐出部を複数備えた少なくとも２つのインク吐出部群を用いて１つの画像を印刷させることが可能な印刷装置にて、互いに異なる前記インク吐出部群により各々形成されるドットの位置を調整するための調整用パターンの形成方法であって、前記少なくとも２つのインク吐出部群のうち、いずれかの第１インク吐出部群に備えられたインク吐出部からインク滴を吐出させて、前記調整用パターンに含まれる第１サブパターンを形成するステップと、前記第１インク吐出部群と異なる第２インク吐出部群に備えられたインク吐出部からインク滴を吐出させて、前記調整用パターンに含まれるとともに、前記第１サブパターンと識別可能な第２サブパターンを形成するステップと、を有することを特徴とする調整用パターンの形成方法である。
【０００６】
本発明の他の特徴については、本明細書及び添付図面の記載により明確にする。
【発明を実施するための最良の形態】
【０００７】
本明細書及び添付図面の記載により少なくとも次のことが明らかにされる。
【０００８】
インク滴を吐出して印刷媒体にドットを形成するためのインク吐出部を複数備えた少なくとも２つのインク吐出部群を用いて１つの画像を印刷させることが可能な印刷装置にて、互いに異なる前記インク吐出部群により各々形成されるドットの位置を調整するための調整用パターンの形成方法であって、前記少なくとも２つのインク吐出部群のうち、いずれかの第１インク吐出部群に備えられたインク吐出部からインク滴を吐出させて、前記調整用パターンに含まれる第１サブパターンを形成するステップと、前記第１インク吐出部群と異なる第２インク吐出部群に備えられたインク吐出部からインク滴を吐出させて、前記調整用パターンに含まれるとともに、前記第１サブパターンと識別可能な第２サブパターンを形成するステップと、を有することを特徴とする調整用パターンの形成方法である。
【０００９】
このような調整用パターンの形成方法によれば、互いに異なるインク吐出部群にて形成された第１サブパターンと、第２サブパターンとを識別できるため、各々のインク吐出部群にて形成されたドットの位置を確実に認識することが可能な調整用パターンを形成することが可能である。このため、互いに異なるインク吐出部群により各々形成されるドットの位置を容易に認識し、適切に調整することが可能である。
【００１０】
かかる調整用パターンの形成方法であって、前記１つの画像は、各々の前記インク吐出部に割り付けられた領域に前記インク吐出部からインク滴を吐出させて形成され、前記第１サブパターン及び前記第２サブパターンは、各々の前記インク吐出部に割り付けられた領域にインク滴が吐出されて形成されることが望ましい。  
このような調整用パターンの形成方法によれば、第１サブパターン及び第２サブパターンが、各々の前記インク吐出部に割り付けられた領域にインク滴が吐出されて形成されることになる。このため、調整用パターンは、実際に画像を形成する際と同様のインク吐出部からインクを吐出して形成されるので、互いに異なるインク吐出部群により各々形成されるドットの位置を、より正確に調整することが可能である。
【００１１】
かかる調整用パターンの形成方法であって、前記画像は複数の印刷モードにて印刷可能であり、前記調整用パターンは、前記印刷モードに応じてそれぞれ形成されることが望ましい。  
このような調整用パターンの形成方法によれば、印刷モード毎に調整用パターンが形成されるので、各印刷モードにそれぞれ対応した調整用パターンを形成することが可能である。よって、各印刷モードにそれぞれ対応した調整用パターンに基づいて、互いに異なるインク吐出部群により各々形成されるドットの位置を、印刷モード毎に適切に調整することが可能である。
【００１２】
かかる調整用パターンの形成方法であって、各々の前記インク吐出部群は、複数色のインクを吐出可能な前記インク吐出部を有しており、前記第１サブパターンと前記第２サブパターンとは、形成されるドットの色の相違により、識別可能であることが望ましい。  
このような調整用パターンの形成方法によれば、各サブパターンの色をインク吐出部群毎に相違させるだけで、各サブパターンを確実に識別可能な調整用パターンを容易に形成することが可能である。
【００１３】
かかる調整用パターンの形成方法であって、前記第１サブパターンと、前記第２サブパターンとを形成する際に、各々のサブパターンを形成するためにインク滴を吐出したインク吐出部を備えたインク吐出部群を示す吐出部群情報が各々印刷され、前記第１サブパターンと、前記第２サブパターンとは、前記吐出部群情報により識別可能であることが望ましい。  
このような調整用パターンの形成方法によれば、第１サブパターン及び第２サブパターンと共に、各サブパターンを形成するためにインク滴を吐出したインク吐出部を備えたインク吐出部群を示す吐出部群情報が印刷されるので、各サブパターンをインク吐出部群に対応させて確実に識別することが可能である。
【００１４】
かかる調整用パターンの形成方法であって、前記印刷媒体は、所定方向に沿って間欠的に搬送され、前記第１サブパターン及び前記第２サブパターンは、搬送された前記印刷媒体に、前記少なくとも２つのインク吐出部群が前記所定方向と交差する移動方向に移動されつつ、前記インク吐出部からインク滴が吐出されて形成された、前記移動方向に沿ったドット列であることが望ましい。  
このような調整用パターンの形成方法によれば、第１サブパターン及び第２サブパターンとして、印刷媒体が搬送される所定方向と交差する方向に沿ったドット列が形成される。このため、第１サブパターン及び第２サブパターンにより、互いに異なるインク吐出部群により各々形成されるドットの、印刷媒体の搬送方向における位置のズレが認識しやすい調整用パターンを印刷することが可能である。よって、この調整用パターンの形成方法にて形成された調整用パターンに基づいて、互いに異なるインク吐出部群により各々形成されるドットの、印刷媒体の搬送方向における位置をより適切に調整することが可能である。
【００１５】
かかる調整用パターンの形成方法であって、前記第１サブパターンのドット列にて構成される線と、前記第２サブパターンのドット列にて構成される線とは、前記線の種類の相違により、識別可能であることとしてもよい。  
このような調整用パターンの形成方法によれば、各サブパターンのドット列にて構成される線の種類をインク吐出部群毎に相違させるだけで、各サブパターンを確実に識別可能な調整用パターンを容易に形成することが可能である。
【００１６】
かかる調整用パターンの形成方法であって、前記第１サブパターン、及び、前記第２サブパターンは、前記移動方向における少なくとも一方の端部の位置が、前記インク吐出部群毎に異なるように形成され、前記吐出部群情報は、前記一方の端部の移動方向における位置に対応させて、前記インク吐出部群毎に位置が異なるように印刷されることが望ましい。  
このような調整用パターンの形成方法によれば、各インク吐出部群にて形成されるドットの所定方向における位置が適切であり、各ドットが重なるように調整用パターンが形成される場合であっても、各サブパターンの一方の端部、及び、印刷される吐出部群情報は、移動方向において互いに相違する位置に形成される。このため、各サブパターン同士が全域に亘って重なることはなく、また、吐出部群情報が重ねられて印刷されることはない。このため、各々のインク吐出部群にて形成された各々のサブパターンを確実に識別することが可能な調整用パターンを形成することが可能である。
【００１７】
かかる調整用パターンの形成方法であって、各々の前記インク吐出部群が有する複数の前記インク吐出部は、前記移動方向に間隔を隔てて配置されており、前記第１サブパターンは、第１インク吐出部群が有する前記移動方向に間隔を隔てて配置された２つのインク吐出部からインク滴を吐出させて形成され、前記第２サブパターンは、第２インク吐出部群が有する前記移動方向に間隔を隔てて配置された２つのインク吐出部からインクを吐出させて形成されることが望ましい。
【００１８】
複数の前記インク吐出部が移動方向に間隔を隔てて配置されているインク吐出部群が、移動方向に対して傾いて固定されている場合には、所定方向に沿って同じ位置にドットを形成すべきインク吐出部からインクを吐出しても、所定方向に異なった位置にドットが形成されることになる。特に、１つのインク吐出部群にて移動方向に間隔を隔てて複数のインク吐出部が設けられている場合には、各々のインク吐出部にて形成されるドットの位置が異なるとになる。このとき、いずれかのインク吐出部のみにて調整用パターンを形成すると、調整用パターンを形成するためにインクを吐出したインク吐出部から最も離れた位置に存在するインク吐出部に対しては、ドットの位置を適切に調整することができない畏れがある。上記調整用パターンの形成方法によれば、第１インク吐出部群及び第２インク吐出部群が有する移動方向に間隔を隔てて配置された２つのインク吐出部からインクを吐出させて形成される各々２本のドット列を有する調整用パターンを形成することが可能である。そして、２本ドット列の中間の位置は、当該２本のドット列を形成したインク吐出部にて形成されるドットの平均的な位置を示すことになる。すなわち、インク吐出部群毎に２本ドット列を形成し、それらの中間の位置に基づいて調整することにより、インク吐出部群が傾いて固定されている場合であっても、各インク吐出部群にて形成されるドットの位置を平均的に調整することが可能である。
【００１９】
また、複数色のインク滴を吐出可能であり、前記インク滴を吐出して、所定方向に沿って間欠的に搬送される印刷媒体にドットを形成するためのインク吐出部を複数備えた少なくとも２つのインク吐出部群を用い、各々の前記インク吐出部に割り付けられた領域に前記インク吐出部からインク滴を吐出させて１つの画像を複数の印刷モードにて印刷させることが可能な印刷装置にて、前記印刷モードに応じてそれぞれ形成され、互いに異なる前記インク吐出部群により各々形成されるドットの位置を調整するための調整用パターンの形成方法であって、前記所定方向と交差する移動方向に移動されつつ、前記少なくとも２つのインク吐出部群のうち、いずれかの第１インク吐出部群に、前記移動方向に間隔を隔てて備えられた２つのインク吐出部から、搬送された前記印刷媒体における当該インク吐出部に割り付けられた領域にそれぞれインク滴を吐出させて形成された、前記移動方向に沿ったドット列にて構成される線である、前記調整用パターンに含まれる第１サブパターンと、当該第１サブパターンを形成するためにインク滴を吐出したインク吐出部を備えたインク吐出部群を示す吐出部群情報とを形成するステップと、前記所定方向と交差する移動方向に移動されつつ、前記第１インク吐出部群と異なる第２インク吐出部群に、前記移動方向に間隔を隔てて備えられた２つのインク吐出部から、当該インク吐出部に割り付けられた領域に前記第１サブパターンと異なる色のインク滴をそれぞれ吐出させて形成された、前記移動方向に沿ったドット列にて構成され前記第１サブパターンとは相違する種類の線であり、前記移動方向における少なくとも一方の端部の位置が前記インク吐出部群毎に異なるように形成され、前記調整用パターンに含まれるとともに、前記第１サブパターンと識別可能とする、第２サブパターン及び前記一方の端部の移動方向における位置に対応させて、前記インク吐出部群毎に位置が異なるように配置させて、当該第２サブパターンを形成するためにインク滴を吐出したインク吐出部を備えたインク吐出部群を示す吐出部群情報を形成するステップと、を有することを特徴とする調整用パターンの形成方法である。
【００２０】
このような調整用パターンの形成方法によれば、既述のすべての効果を奏するため、本発明の目的が最も有効に達成される。
【００２１】
また、インク滴を吐出して印刷媒体にドットを形成するためのインク吐出部を複数備えた少なくとも２つのインク吐出部群を用いて１つの画像を印刷させることが可能な印刷装置にて、互いに異なる前記インク吐出部群により各々形成されるドットの位置を調整するための調整用パターンであって、前記少なくとも２つのインク吐出部群のうち、いずれかの第１インク吐出部群に備えられたインク吐出部からインク滴を吐出させて形成された、前記調整用パターンに含まれる第１サブパターンと、前記第１インク吐出部群と異なる第２インク吐出部群に備えられたインク吐出部からインク滴を吐出させて形成された、前記調整用パターンに含まれるとともに、前記第１サブパターンと識別可能な第２サブパターンと、を有することを特徴とする調整用パターンも実現可能である。
【００２２】
また、（Ａ）インク滴を吐出して印刷媒体にドットを形成するためのインク吐出部を複数備えた、少なくとも２つインク吐出部群と、（Ｂ）前記インク吐出部からインク滴を吐出させて、前記少なくとも２つのインク吐出部群にて、１つの画像を印刷させることを可能とし、以下の（ａ）及び（ｂ）を有する調整用パターンを形成させることが可能な制御部と、（ａ）互いに異なる前記インク吐出部群にて各々形成されるドットの形成位置を制御するための調整用パターンであって、前記少なくとも２つのインク吐出部群のうち、いずれかの第１インク吐出部群に備えられたインク吐出部からインク滴を吐出させて形成される第１サブパターン、（ｂ）前記第１インク吐出部群と異なる第２インク吐出部群に備えられたインク吐出部からインク滴を吐出させて形成され、前記第１サブパターンと識別可能な第２サブパターン、（Ｃ）を有することを特徴とする印刷装置も実現可能である。
【００２３】
＝＝＝印刷装置の概略例＝＝＝
図１は本発明の実施形態として、インク吐出部としてのノズルからインクを吐出して印刷する印刷装置としてのカラーインクジェットプリンタ（以下、カラープリンタという）２０の概要を示す斜視図である。このカラープリンタ２０は、カラー画像の出力が可能なインクジェットプリンタであり、例えば、シアン系インクとしてのシアンインク（Ｃ）及びライトシアンインク（淡いシアンインク、ＬＣ）、マゼンタ系インクとしてのマゼンタインク（Ｍ）及びライトマゼンタインク（淡いマゼンタインク、ＬＭ）、イエローインク（Ｙ）、ブラックインク（Ｋ）の複数色（ここでは６色）のインクを印刷用紙などの様々な印刷媒体上に吐出してドットを形成することによって画像を印刷するインクジェット方式のプリンタである。なお、色インクは上記６色に限らず、例えばダークイエロー（暗いイエロー、ＤＹ）などを用いても良い。また、カラープリンタ２０は、例えば印刷媒体としての印刷用紙をロール状に巻き付けたロール紙や、ＪＩＳ規格のＡ列０番用紙やＢ列０番用紙といった比較的大型の単票状の印刷用紙にも対応している。図１の例においては、カラープリンタ２０にロール紙（以下、印刷用紙という）が備えられている。キャリッジ２８については後述する。
【００２４】
図示するようにカラープリンタ２０は、インクを吐出して印刷用紙Ｐに印刷する印刷部３と、印刷用紙を所定の搬送方向に沿って搬送するための印刷用紙搬送部５とを有している。  
印刷部３は、複数のインク吐出部としてのノズル列を備えたインク吐出部群としての印刷ヘッド３６を少なくとも２つ保持するキャリッジ２８と、このキャリッジ２８を、印刷用紙Ｐの搬送方向とほぼ直交する方向（以下、キャリッジ移動方向という）に移動させて往復移動させるためのキャリッジモータ３０と、キャリッジモータ３０と共に移動機構を構成しキャリッジモータ３０により駆動されてキャリッジ２８を移動させる金属製の牽引ベルト３２と、キャリッジ２８を案内するための２本のガイドレール３４と、キャリッジ２８に固定されたリニア式エンコーダ１７と、所定の間隔にスリットが形成されたリニア式エンコーダ用符号板１９とを備えている。
【００２５】
ガイドレール３４は、キャリッジ移動方向に沿って２本設けられ、搬送方向に互いに間隔を隔てて上下に配置され、左右の両端部側にて基台となるフレーム（図示せず）により支持されている。２本のガイドレール３４は、下側のガイドレール３４１が上側のガイドレール３４２より手前に配置されている。このため、これら２本のガイドレール３４１，３４２に架け渡されるように配置されるキャリッジ２８は、上部が後方に下部が前方に位置するように傾斜した状態にて移動する。
【００２６】
キャリッジ２８が案内される上側のガイドレール３４２には、リニア式エンコーダ用符号板１９がガイドレール３４２に沿って設けられている。このリニア式エンコーダ用符号板１９は、ガイドレール３４に沿って移動するキャリッジ２８に固定されたリニア式エンコーダ１７の検出部と対向するように配置されている。
【００２７】
牽引ベルト３２は、キャリッジ２８の左右端部に固定されて環状に形成されており、上下のガイドレール３４１，３４２の中間位置にて、ガイドレール３４１，３４２の長さとほぼ等しい間隔を隔てて配置された２つのプーリ４４、４５に架け渡されている。これらプーリ４４，４５のうち一方のプーリ４４はキャリッジモータ３０の軸に固定されている。
【００２８】
２本のガイドレール３４１，３４２に架け渡されるように配置されたキャリッジ２８は、左右端部における上下方向のほぼ中央にて牽引ベルト３２が固定されている。そして、カラープリンタ２０は、キャリッジモータ３０の動力が牽引ベルト３２により伝達され、伝達された動力によりキャリッジ２８が牽引ベルト３２に牽引されてガイドレール３４に沿ってキャリッジ移動方向に移動する。キャリッジ２８の移動の際に、当該キャリッジ２８に備えられた８つの印刷ヘッド３６からインクを吐出することにより、印刷用紙搬送部５により搬送された印刷用紙Ｐに画像を印刷する。
【００２９】
本実施形態ではキャリッジ２８に８つの印刷ヘッド３６が設けられ、これら印刷ヘッド３６はインクを吐出する複数のノズルｎを有し、後述するヘッド制御ユニット６３（図６参照）に制御されて所定のノズルｎからインクを吐出する。印刷ヘッド３６の印刷用紙Ｐと対向する面には、複数のノズルｎが搬送方向に沿って列状に配置されたインク吐出部としてのノズル列Ｎを複数有し、これらノズル列Ｎはキャリッジ移動方向に沿って並べられている。印刷ヘッド３６及びノズルｎの配列については後述する。
【００３０】
印刷用紙搬送部５は、前記２本のガイドレール３４の背面側に設けられている。印刷用紙搬送部５は、下側ガイドレール３４１より下方にて印刷用紙Ｐをホルダ２７とともに回動自在に保持するロール紙保持部３５と、上側ガイドレール３４２より上方にて印刷用紙Ｐを搬送するロール紙搬送部３７と、それらロール紙保持部３５とロール紙搬送部３７との間にて、搬送される印刷用紙Ｐが沿わされるプラテン２６とを有している。このプラテン２６は搬送される印刷用紙Ｐの全幅に亘る平面を有し、この平面が、傾斜した状態にて移動するキャリッジ２８に搭載された各印刷ヘッド３６と等間隔にて対向するように傾斜した状態で設けられている。
【００３１】
ホルダ２７は、印刷用紙Ｐが保持された状態にて回動軸となる軸体２７ａを有し、軸体２７ａの両端部側には供給する印刷用紙Ｐの蛇行を防止するためのガイド円盤２７ｂがそれぞれ設けられている。
【００３２】
ロール紙搬送部３７は、印刷用紙Ｐを搬送するための紙搬送ローラ２４と、これと対向して配置され紙搬送ローラ２４との間に印刷用紙Ｐを挟持する挟持ローラ２９と、紙搬送ローラ２４を回動させるための搬送モータ３１とを備えている。搬送モータ３１の軸には駆動ギア４０が、紙搬送ローラ２４の軸には駆動ギア４０と噛み合う中継ギア４１がそれぞれ設けられ、搬送モータ３１の動力は、駆動ギア４０と中継ギア４１とを介して紙搬送ローラ２４に伝達される。すなわち、ホルダ２７に保持された印刷用紙Ｐは、紙搬送ローラ２４と挟持ローラ２９との間に挟持され、搬送モータ３１によってプラテン２６に沿って搬送される。また、搬送モータ３１の軸には、放射状に複数のスリット有する円盤状のエンコーダ用符号盤１８（図２）を備えたロータリー式エンコーダ１６が設けられている。印刷用紙の搬送量は、このロータリー式エンコーダ１６からの出力信号に基づいて制御される。
【００３３】
＝＝＝エンコーダ＝＝＝
次に、ロータリー式エンコーダ１６について説明する。図２は、ロータリー式エンコーダ１６の構成を模式的に示した説明図である。  
図２に示したロータリー式エンコーダ１６は、発光ダイオード１６ａと、コリメータレンズ１６ｂと、検出処理部１６ｃとを備えている。検出処理部１６ｃは、複数（例えば４個）のフォトダイオード１６ｄと、信号処理回路１６ｅと、例えば２個のコンパレータ１６ｆＡ、１６ｆＢとを有している。
【００３４】
発光ダイオード１６ａの両端に抵抗を介して電圧ＶＣＣが印加されると、発光ダイオード１６ａから光が発せられる。この光はコリメータレンズ１６ｂにより平行光に集光されてロータリー式エンコーダ用符号盤１８を通過する。このとき、エンコーダ用符号盤１８には、発光ダイオード１６ａから発せられた光の照射位置において、印刷用紙が所定距離（例えば１／１８０インチ（１インチ＝２．５４ｃｍ））を搬送される毎に出力が検出されるようにスリットが設けられている。
【００３５】
ロータリー式エンコーダ用符号盤１８を通過した平行光は、図示しない固定スリットを通って各フォトダイオード１６ｄに入射し、電気信号に変換される。４個のフォトダイオード１６ｄから出力される電気信号は信号処理回路１６ｅにおいて信号処理され、信号処理回路１６ｅから出力される信号はコンパレータ１６ｆＡ、１６ｆＢにおいて比較され、比較結果がパルスとして出力される。コンパレータ１６ｆＡ、１６ｆＢから出力されるパルスＥＮＣ−Ａ、ＥＮＣ−Ｂがロータリー式エンコーダ１６の出力となる。
【００３６】
図３Ａは、搬送モータ正転時におけるロータリー式エンコーダ１６の２つの出力信号の波形を示したタイミングチャート、図３Ｂは、搬送モータ逆転時におけるロータリー式エンコーダ１６の２つの出力信号の波形を示したタイミングチャートである。
【００３７】
図３Ａ、図３Ｂに示すように、搬送モータ正転時及び逆転時のいずれの場合も、パルスＥＮＣ−ＡとパルスＥＮＣ−Ｂとは位相が９０度だけ異なっている。搬送モータ３１が正転し、用紙が搬送方向に沿って下方から上方に向かって搬送されているときは、図３Ａに示すように、パルスＥＮＣ−ＡはパルスＥＮＣ−Ｂよりも９０度だけ位相が進み、搬送モータ３１が逆転しているときは、図３Ｂに示すように、パルスＥＮＣ−ＡはパルスＥＮＣ−Ｂよりも９０度だけ位相が遅れる。そして、パルスＥＮＣ−Ａ及びパルスＥＮＣ−Ｂの１周期Ｔは、搬送モータ３１がロータリー式エンコーダ用符号盤１８のスリット間隔を移動する時間に等しい。
【００３８】
パルスＥＮＣ−Ａ及びパルスＥＮＣ−Ｂの出力パルスをカウントして印刷用紙を搬送することにより、印刷用紙Ｐを所定の位置まで搬送させることが可能となる。また、ホストコンピュータ９０から入力されたコマンドデータの搬送量データと、エンコーダ用符号盤１８のスリット間隔等に基づいて、実際に搬送される印刷用紙Ｐの搬送距離を制御することが可能である。
【００３９】
また、ロータリー式エンコーダ１６から出力されたパルスを等分割することにより、ロータリー式エンコーダ用符号盤１８のスリットより高い解像度にて用紙の搬送量を制御することが可能となる。例えば、ロータリー式エンコーダ１６から出力されたパルスを４分割すると、１４４０ｄｐｉの精度にて搬送モータを制御し、印刷用紙の搬送量を制御することが可能となる。
【００４０】
＝＝＝印刷ヘッドの構成＝＝＝
前記印刷ヘッド３６の構成について、図１，図４，図５を用いて説明する。図４は、印刷ヘッド３６が有するノズルの配列を説明するための説明図、図５は、隣接する複数の印刷ヘッド３６の配置と、それら印刷ヘッド３６が有するノズル列の位置関係を示す図である。
【００４１】
印刷ヘッド３６は、図４に示すとおり、複数のノズルｎが搬送方向に沿って一直線上に配列されたノズル列Ｎを６列有している。本実施形態においては、ノズル列Ｎは、ブラックノズル列Ｎｋ、シアンノズル列Ｎｃ、ライトシアンノズル列Ｎｌｃ、マゼンタノズル列Ｎｍ、ライトマゼンタノズル列Ｎｌｍ、イエローノズル列Ｎｙというように吐出するインク色毎に列をなしているが、これに限るものではない。
【００４２】
ブラックノズル列Ｎｋは、１８０個のノズルｎ１〜ｎ１８０を有し、各ノズルｎには、各ノズルｎを駆動してインク滴を吐出させて印刷用紙等にドットを形成させるための駆動素子としてピエゾ素子（不図示）が設けられている。ブラックノズル列Ｎｋのノズルｎ１、・・・、ｎ１８０は、搬送方向に沿って一定のノズルピッチｋ・Ｄで配置されている。ここで、Ｄは搬送方向のドットピッチであり、ｋは１以上の整数である。搬送方向のドットピッチＤは、ドットがキャリッジ移動方向に配列された横ドット列（以下、ラスタラインともいう）のピッチとも等しい。以下では、ノズルピッチｋ・Ｄを表す整数ｋを、単に「ノズルピッチｋ」と呼ぶ。図４の例では、ノズルピッチｋは４ドットである。但し、ノズルピッチｋは、任意の整数に設定することができる。
【００４３】
また、上述した事項は、シアンノズル列Ｎｃ、ライトシアンノズル列Ｎｌｃ、マゼンタノズル列Ｎｍ、ライトマゼンタノズル列Ｎｌｍ、イエローノズル列Ｎｙについても、同様である。すなわち、各ノズル列Ｎは、１８０個のノズルｎ１〜ｎ１８０を有し、搬送方向に沿って一定のノズルピッチｋ・Ｄで配置されている。
【００４４】
また、上記６列のノズル列は、キャリッジ移動方向に各々間隔を隔てて並べて配置され、さらに、各ノズル列において搬送方向の同じ順番に位置するノズル列同士がキャリッジ移動方向に直線状並ぶように配置されている。例えば、各ノズル列において搬送方向に最も下流側に位置するノズルｎ１同士が、キャリッジ移動方向に直線状に並ぶように配置されている。
【００４５】
そして、印刷時には、印刷用紙Ｐが印刷用紙搬送部５によって間欠的に所定の搬送量で搬送され、その間欠的な搬送の間にキャリッジ２８がキャリッジ移動方向に移動して各ノズルｎからインク滴が吐出されドットが形成される。但し、印刷方式によって、例えば自然画などを印刷するのインターレース方式などにて印刷する場合には、すべてのノズルｎが常に使用されるとは限らず、一部のノズルｎのみが使用される場合もある。
【００４６】
キャリッジ２８に設けられた８つの印刷ヘッド３６ａ〜３６ｈは、４つずつの印刷ヘッド３６が、搬送方向に沿わされると共に、互いに間隔を隔てて２列に配置されている。４つの印刷ヘッド３６で構成される２つの印刷ヘッド列は、キャリッジ移動方向に並べて配置されている。２列に配置された印刷ヘッド列は、一方の印刷ヘッド列３６ｂ、３６ｄ，３６ｆ、３６ｈが、他方の印刷ヘッド列３６ａ、３６ｃ，３６ｅ、３６ｇよりおよそ印刷ヘッド１個分の距離だけ搬送方向上流側に配置されている。すなわち、８つの印刷ヘッド３６の各々が、キャリッジ移動方向において並ぶことがないように、前記一方の印刷ヘッド列の下流側から１番目に位置する印刷ヘッド３６ａと２番目に位置する印刷ヘッド３６ｃとの間に、他の印刷ヘッド列の最下流側に位置する印刷ヘッド３６ｂが配置されている。そして、一方の印刷ヘッド列の最下流側に位置する印刷ヘッド３６ａの１８０番ノズルと、他方の印刷ヘッド列の最下流側に位置する印刷ヘッド３６ｂの１番ノズルとは、搬送方向において、ノズルピッチｋ・Ｄ分だけ離れるように配置されている。また、前記他方の印刷ヘッド列の最下流側に位置する印刷ヘッド３６ｂの１８０番ノズルと、前記一方の印刷ヘッド列の下流側から２番目に位置する印刷ヘッド３６ｃの１番ノズルとは、搬送方向においてノズルピッチｋ・Ｄ分だけ離れるように配置されている。このように、２列に配列された印刷ヘッド３６は、搬送方向において互いに隣接する印刷ヘッド同士の１番ノズルと１８０番ノズルとが、それぞれノズルピッチｋ・Ｄ分だけ離れるように配置されている。すなわち、２列の印刷ヘッド列において最も下流側に位置する印刷ヘッド３６ａの１番ノズルから最も上流側に位置する印刷ヘッド３６ｈの１８０番ノズルまでは、いずれも搬送方向においてノズルピッチｋ・Ｄ分だけ離れるように配置されている。このため、キャリッジ２８の１回の移動において、例えば、８つの印刷ヘッド有する各ノズル列Ｎにて、印刷用紙Ｐに対するキャリッジ移動方向の同一位置にドットを形成すると、８つの印刷ヘッド３６のノズル列Ｎにて形成したドットが等ピッチにて連続して形成されることになる。
【００４７】
また、キャリッジ２８に設けられた８つの印刷ヘッド３６のうち、４つの印刷ヘッド３６ａ〜３６ｄは牽引ベルト３２より上側に配置され、残り４つの印刷ヘッド３６ｅ〜３６ｈは牽引ベルト３２より下側に配置されている。これら４つずつの印刷ヘッド３６間における位置関係は同様であるため、ここでは  上側の４つの印刷ヘッド３６ａ〜３６ｄにおける位置関係を例に説明する。
【００４８】
ところで、キャリッジ２８が移動するための外力としてのキャリッジモータ３０の動力（牽引力）は、キャリッジ２８に牽引ベルト３２が固定されている部位、すなわち係合部Ｓ１，Ｓ２に作用する。そして、キャリッジ２８において、係合部Ｓ１，Ｓ２を繋ぐ作用線ＳＬに近い部分は、前記牽引力がより直接伝達されるために、キャリッジ２８移動中の振動が小さく、作用線ＳＬから離れるにしたがい振動が大きくなる。すなわち、キャリッジ２８の移動による振動を最も受けやすい印刷ヘッド３６は、作用線ＳＬから最も離れた位置に配置された、印刷ヘッド３６ａ、３６ｈである。そして、作用線ＳＬの中心、すなわち、係合部Ｓ１，Ｓ２の中点４６に最も近い印刷ヘッド、さらには、中点４６に最も近いノズル列Ｎが、キャリッジ２８の移動による振動を最も受け難いことになる。また、異なる２つの印刷ヘッド３６の間では、２つの印刷ヘッド３６のうち作用線ＳＬに近い側の一方の印刷ヘッド３６が、他方の印刷ヘッド３６よりキャリッジ２８の移動による振動を受け難いことになる。
【００４９】
なお、図４においては、各ノズル列のインク色は、図面左側からブラックノズル列Ｎｋ、シアンノズル列Ｎｃ、ライトシアンノズル列Ｎｌｃ、マゼンタノズル列Ｎｍ、ライトマゼンタノズル列Ｎｌｍ、イエローノズル列Ｎｙとしたが、これに限定されるものではなく、各ノズル列Ｎのインク色は、他の並び順で並んでいてもよい。
【００５０】
また、キャリッジ２８の上部側には、後述する調整用パターンを読み取って電気信号に変換可能な読取部１１（図６）と、変換された電気信号に所定の処理を施す信号処理部１２（図６）とを有する調整用パターン情報取得部１３が設けられている。読取部１１は、例えばＣＣＤセンサ等を有する画像読取装置である。信号処理部１２は、読取部１１から出力される電気信号に種々の信号処理を施すことにより、例えば、画像の濃淡やエッジを検出したり、画像に含まれるの複数のエッジ間の距離を測定することが可能である。
【００５１】
＝＝＝印刷システムの全体構成例＝＝＝
次に印刷システムの全体構成例について、図６及び図７を用いて説明する。図６は、前述したカラープリンタ２０を備えた印刷システムの構成を示すブロック図である。図７は、画像処理ユニット３８の構成を示すブロック図である。
【００５２】
この印刷システムは、コンピュータ９０と、印刷装置の一例としてのカラープリンタ２０と、を備えている。なお、カラープリンタ２０とコンピュータ９０とを含む印刷システムは、広義の「印刷装置」と呼ぶこともできる。また、このシステムは、上記コンピュータ９０、上記カラープリンタ２０、ＣＲＴ２１及び、図示しない、液晶表示装置等の表示装置、キーボードやマウス等の入力装置、フレキシブルドライブ装置、ＣＤ−ＲＯＭドライブ装置等のドライブ装置等から構築されている。
【００５３】
コンピュータ９０では、所定のオペレーティングシステムの下で、アプリケーションプログラム９５が動作している。オペレーティングシステムには、ビデオドライバ９１が組み込まれており、画像のレタッチなどを行うアプリケーションプログラム９５は、処理対象の画像に対して所望の処理を行い、また、ビデオドライバ９１を介してＣＲＴ２１に画像を表示している。
【００５４】
カラープリンタ２０は、アプリケーションプログラム９５からの印刷データ等が入力され、画像処理ユニット３８と、カラープリンタ２０全体の動作を制御する制御部としてのシステムコントローラ５４と、メインメモリ５６と、ＥＥＰＲＯＭ５８とを備えている。システムコントローラ５４には、さらに、キャリッジモータ３０を駆動するキャリッジモータ駆動回路６１と、搬送モータ３１を駆動するための搬送モータ駆動回路６２と、印刷ヘッド３６を制御するヘッド制御ユニット６３と、用紙の搬送量を制御するためのロータリー式エンコーダ１６と、調整用パターン情報取得部１３が接続されている。
【００５５】
図１及び図６に示したとおり、前述したカラープリンタ２０は複数の印刷ヘッド３６を有する。本実施の形態においては、キャリッジ２８に８つの印刷ヘッド３６が上下方向及び左右方向にそれぞれ間隔を隔てて配置されており、各々の印刷ヘッド３６は、プリンタ本体に対して着脱可能に構成されている。
【００５６】
さらに、各々の印刷ヘッド３６は、当該印刷ヘッド３６に備えられた印刷ヘッド３６に供給されるインクを収容するためのインクタンク６７を備えている。また、印刷ヘッド３６は各々前述したヘッド制御ユニット６３及び画像処理ユニット３８を有し、印刷ヘッド３６毎に、基準となる駆動信号に基づいてそれぞれ制御することが可能である。
【００５７】
そして、アプリケーションプログラム９５が印刷命令を発すると、カラープリンタ２０に設けられた画像処理ユニット３８が、画像データをアプリケーションプログラム９５から受け取り、これを印刷データＰＤに変換する。図７に示すように、画像処理ユニット３８の内部には、解像度変換モジュール９７と、色変換モジュール９８と、ハーフトーンモジュール９９と、ラスタライザ１００と、ＵＩプリンタインターフェースモジュール１０２と、ラスタデータ格納部１０３と、色変換ルックアップテーブルＬＵＴと、バッファメモリ５０と、イメージバッファ５２が備えられている。
【００５８】
解像度変換モジュール９７は、アプリケーションプログラム９５で形成されたカラー画像データの解像度を、画像データと共に受け取った印刷モード等の情報に基づいて、対応する印刷解像度に変換する役割を果たす。こうして解像度変換された画像データは、まだＲＧＢの３つの色成分からなる画像情報である。色変換モジュール９８は、色変換ルックアップテーブルＬＵＴを参照しつつ、画素毎にＲＧＢ画像データを、カラープリンタ２０が利用可能な複数のインク色の多階調データに変換する。
【００５９】
色変換された多階調データは、例えば２５６階調の階調値を有している。ハーフトーンモジュール９９は、いわゆるハーフトーン処理を実行してハーフトーン画像データを生成する。ここでハーフトーンは、例えば画像を、画素を形成可能な複数の部位にて構成される所定領域毎に分割し、各領域における濃度を、その領域を構成する複数の部位に、大ドット、中ドット、小ドットのいずれかを形成するか否かにより各領域の濃度を表現するものとする。
【００６０】
このハーフトーン画像データは、ラスタライザ１００により所望のデータ順に並べ替えられ、最終的な印刷データＰＤとしてラスタデータ格納部１０３に対して出力される。このとき、画像の中間調の部分を印刷するためのドットを形成する信号は、前述した牽引ベルト３２に近い側に位置する印刷ヘッド３６に割り当てられている。
【００６１】
一方、コンピュータ９０に備えられたユーザインターフェース表示モジュール１０１は、印刷に関係する種々のユーザインターフェースウィンドウを表示する機能と、それらのウィンドウ内におけるユーザの入力を受け取る機能とを有している。例えば、ユーザは、印刷用紙の種類、サイズや印刷モード等をユーザインターフェース表示モジュール１０１に指示することが可能である。
【００６２】
また、ＵＩプリンタインターフェースモジュール１０２は、ユーザインターフェース表示モジュール１０１とカラープリンタ２０との間のインターフェースとしての機能を有している。ユーザがユーザインターフェースにより指示した命令を解釈して、システムコントローラ５４等へ各種コマンドＣＯＭを送信したり、逆に、システムコントローラ５４等から受信したコマンドＣＯＭを解釈して、ユーザインターフェースへ各種表示を行ったりする。例えば、ユーザインターフェース表示モジュール１０１により受け取られた印刷用紙の種類、サイズ等に係る前記指示は、ＵＩプリンタインターフェースモジュール１０２へ送られ、ＵＩプリンタインターフェースモジュール１０２は、指示された命令を解釈してシステムコントローラ５４へコマンドＣＯＭを送信する。
【００６３】
また、ＵＩプリンタインターフェースモジュール１０２は、印刷モード設定部としての機能も有する。すなわち、ＵＩプリンタインターフェースモジュール１０２は、ユーザインターフェース表示モジュール１０１により受け取られた印刷情報、すなわち印刷する画像の解像度、印刷に使用するノズルに係る情報、搬送方向送り量を示すデータに係る情報等に基づいて記録モードとしての印刷モードを決定し、この印刷モードに応じた印刷データＰＤがハーフトーンモジュール９９やラスタライザ１００により生成され、ラスタデータ格納部１０３へ出力する。すなわち、印刷する画像を構成する領域としての画素には、当該画素を形成するためのノズルが、印刷モードに応じて割り付けられおり、ハーフトーン処理後の画像データは、印刷モードに応じて各画素を形成すべきノズルにて印刷可能な印刷データとして並べ替えられる。
【００６４】
ラスタデータ格納部１０３に出力された印刷データＰＤは、一旦、バッファメモリ５０に蓄えられ、ノズルに対応したデータに変換されてイメージバッファ５２に格納される。カラープリンタ２０のシステムコントローラ５４は、ＵＩプリンタインターフェースモジュール１０２により出力されたコマンドＣＯＭの情報に基づいてキャリッジモータ駆動回路６１、搬送モータ駆動回路６２、ヘッド制御ユニット６３等を制御し、イメージバッファ５２のデータに基づいて印刷ヘッド３６に設けられた各色のノズルを駆動して印刷する。ここで、印刷モードとしては、例えば、１本のラスタラインを形成するノズル数や間欠的に搬送される印刷用紙の搬送量等を違えた各種インターレース方式を用いてドットを記録する高画質モード、当該方式を用いないでドットを記録する高速モードなどがある。また、インターレース方式であっても、１回に搬送する搬送量や、１本のラスタラインを形成するために行われるキャリッジ移動回数や、１本のラスタラインを形成するために使用されるノズル数が異なる場合も異なる印刷モードである。
【００６５】
＝＝＝印刷ヘッドの駆動＝＝＝
次に、印刷ヘッド３６の駆動について、図８を参照しつつ説明する。  
図８は、ヘッド制御ユニット６３（図６）内に設けられた駆動信号発生部の構成を示すブロック図であり、図９は、駆動信号発生部の動作を示す原駆動信号ＯＤＲＶ、印刷信号ＰＲＴ（ｉ）、駆動信号ＤＲＶ（ｉ）のタイミングチャートである。図８において、駆動信号発生部２００は、複数のマスク回路２０４と、原駆動信号発生部２０６と、駆動信号補正部２３０とを備えている。マスク回路２０４は、印刷ヘッド３６のノズルｎ１〜ｎ１８０をそれぞれ駆動するための複数のピエゾ素子に対応して設けられている。なお、図８において、各信号名の最後に付されたかっこ内の数字は、その信号が供給されるノズルの番号を示している。
【００６６】
原駆動信号発生部２０６は、ノズルｎ１〜ｎ１８０に共通に用いられる原駆動信号ＯＤＲＶを生成する。この原駆動信号ＯＤＲＶは、一画素分のキャリッジ移動期間内に、第１パルスＷ１と第２パルスＷ２の２つのパルスを含む信号であり、各ノズルからインクを吐出させるための基準吐出信号である。すなわち、各印刷ヘッド３６が有するすべてのノズルは、同一の原駆動信号ＯＤＲＶに基づいてインクを吐出する。そして、キャリッジ２８が所定の位置に到達したことが、リニア式エンコーダ１７の出力により検出されると、原駆動信号ＯＤＲＶの出力が開始される。このため、各印刷ヘッド３６の各ノズル列からインクを吐出して印刷用紙の同一の目標位置にドット列を形成した際に、それらドット列のキャリッジ移動方向の位置が一致するように、原駆動信号ＯＤＲＶの出力タイミングが調節されている。すなわち、この調節がなされる前には、初期値として、前記所定の位置から印刷用紙の目標位置にインクを吐出するための理論上の値が、キャリッジ２８と印刷用紙の相対位置、各印刷ヘッド間のキャリッジ移動方向における間隔、各印刷ヘッドが有するノズル列のキャリッジ移動方向における間隔等、に基づいて設定され、その設定された値がＥＥＰＲＯＭに記憶されている。
【００６７】
駆動信号補正部２３０は、マスク回路２０４が整形した駆動信号波形のタイミングを前後にずらすことにより、個々のドットが形成される位置を変更することを可能としている。
【００６８】
図８に示すように、入力されたシリアル印刷信号ＰＲＴ（ｉ）は、原駆動信号発生部２０６から出力される原駆動信号ＯＤＲＶとともにマスク回路２０４に入力される。このシリアル印刷信号ＰＲＴ（ｉ）は、一画素当たり２ビットのシリアル信号であり、その各ビットは、第１パルスＷ１と第２パルスＷ２とにそれぞれ対応している。そして、マスク回路２０４は、シリアル印刷信号ＰＲＴ（ｉ）のレベルに応じて原駆動信号ＯＤＲＶをマスクするためのゲートである。すなわち、マスク回路２０４は、シリアル印刷信号ＰＲＴ（ｉ）が１レベルのときには原駆動信号ＯＤＲＶの対応するパルスをそのまま通過させて駆動信号ＤＲＶとしてピエゾ素子に供給し、一方、シリアル印刷信号ＰＲＴ（ｉ）が０レベルのときには原駆動信号ＯＤＲＶの対応するパルスを遮断する。
【００６９】
図９示した通り、原駆動信号ＯＤＲＶは、各画素区間Ｔ１、Ｔ２、Ｔ３において、第１パルスＷ１と第２パルスＷ２とを順に発生する。なお、画素区間とは、一画素分のキャリッジ移動期間と同じ意味である。  
図９に示す通り、印刷信号ＰＲＴ（ｉ）が２ビットの画素データ『１、０』に対応しているとき、第１パルスＷ１のみが一画素区間の前半で出力される。これにより、ノズルから小さいインク滴が吐出され、被印刷体には小さいドット（小ドット）が形成される。また、印刷信号ＰＲＴ（ｉ）が２ビットの画素データ『０、１』に対応しているとき、第２パルスＷ２のみが一画素区間の後半で出力される。これにより、ノズルから中サイズのインク滴が吐出され、被印刷体には中サイズのドット（中ドット）が形成される。また、印刷信号ＰＲＴ（ｉ）が２ビットの画素データ『１、１』に対応しているとき、第１パルスＷ１と第２パルスＷ２とが一画素区間で出力される。これにより、ノズルから大きいインク滴が吐出され、被印刷体には大きいドット（大ドット）が形成される。以上説明したとおり、一画素区間における駆動信号ＤＲＶ（ｉ）は、印刷信号ＰＲＴ（ｉ）の３つの異なる値に応じて互いに異なる３種類の波形を有するように整形され、これらの信号に基づいて印刷ヘッド３６は３種類のサイズのドットを形成することが可能である。
【００７０】
＝＝＝互いに異なる印刷ヘッドにて形成されるドットの搬送方向における位置調整＝＝＝
上述したカラープリンタ２０は、８つの印刷ヘッド３６ａ〜３６ｈを有しており、各々の印刷ヘッド３６にてそれぞれ別個の画像を印刷することは勿論、複数の印刷ヘッド３６を用いて１つの画像を印刷することも可能である。複数の印刷ヘッド３６を用いて１つの画像を印刷する際には、印刷された画像に、互いに異なる印刷ヘッド３６が有するノズルから吐出したインクにて形成されるドットが混在することになる。このため、互いに異なる印刷ヘッド３６が有するノズルから吐出したインクにて形成されるドットの位置を調整する必要がある。例えば、搬送方向に並べて配置された複数の印刷ヘッド３６を用いて１つの画像を印刷する際には、搬送方向上流側に設けられた印刷ヘッド３６にて、各ノズルに割り付けられた領域にドットが形成される。その後、下流側に設けられた印刷ヘッド３６と対向する位置まで印刷用紙が搬送され、下流側に設けられた印刷ヘッド３６にて、各ノズルに割り付けられた領域にドットが形成される。このため、互いに異なる複数の印刷ヘッド３６を用いて形成された１つの画像を構成するラスタラインが、異なる印刷ヘッドにて形成されたドットにより構成される。このように１本のラスタラインが異なる印刷ヘッドにて形成されたドットにより構成される場合には、印刷用紙が適切な搬送量にて搬送されないと、異なる印刷ヘッドにて形成されたドット同士の相対位置にズレが生じ、良好な画像が印刷されない畏れがある。このため、本実施形態では、カラープリンタ２０にて互いに異なる印刷ヘッド３６を用いて１つの画像を印刷する際に、互いに異なる印刷ヘッド３６にて形成されるドットの搬送方向における位置のズレを調整する例について説明する。互いに異なる印刷ヘッド３６にて形成されるドットの搬送方向における位置のズレを調整する方法としては、印刷用紙の搬送量をズレ量に基づいて調整する方法、各々の印刷ヘッドの位置をメカ的に調整する方法、印刷データを調整する方法等がある。本実施形態では、１つの画像を形成する印刷ヘッド３６を用いて印刷され、搬送方向における位置のズレを調整するための調整用パターン、及び、印刷した調整用パターンに基づいて用紙の搬送量を制御する例について説明する。
【００７１】
＜ドットの搬送方向における位置調整に用いる調整用パターン＞
互いに異なる印刷ヘッド３６を用いて１つの画像を印刷する際に、各印刷ヘッド３６にて形成されるドットの、搬送方向における位置を調整するための調整用パターンについて説明する。
【００７２】
用紙の搬送量は、画像を印刷する印刷媒体の種類、印刷モード等により異なるため、調整用パターンは、印刷媒体の種類、印刷モード毎に各々印刷する。そして、印刷された各調整用パターンに基づいて、所定の印刷用紙に、所定の印刷モードにて印刷する際の搬送量を設定し、システムコントローラ５４は設定された搬送量に基づいて印刷用紙の搬送量を制御する。そして、調整用パターンは、各印刷モードにて画像を実際に印刷するときに、同一のラスタラインを構成するドットを形成するために用いる、互いに異なる印刷ヘッド３６に設けられたノズルにて印刷される。すなわち、実際に画像を印刷する印刷モードに応じて、調整用パターンを構成するドットとして形成すべき画素に割り付けられた各ノズルからインク滴を吐出して調整用パターンを印刷する。ここでは、たとえば４つの印刷ヘッド３６が各々有するノズルからそれぞれインクを吐出し、形成されたドットにて１本のラスタラインを形成する印刷モード（以下、４パスオーバーラップ印刷モードという）にて印刷する際の搬送量の設定について説明する。
【００７３】
調整用パターンの形成方法を説明する前に、４パスオーバーラップ印刷モードにて画像を印刷する場合において、同一ラスタを形成すべく割り付けられたノズルについて説明する。実際に印刷される画像は画像データに基づいてドットが形成されるため、必ずしも画像領域の全域がドットにて埋め尽くされるわけではないが、使用するノズルを説明する便宜上、ここでは、画像領域の全域にドットを有する画像を印刷するものとする。
【００７４】
図１０は、４パスオーバーラップ印刷モードにて画像を印刷する際におけるノズルと印刷用紙の相対位置を説明するための図である。図１０では、便宜上、各印刷ヘッドが有するノズル列は各々７個のノズルを有するものとし、各印刷ヘッドが有するノズル列のうち各々１つのノズル列が搬送方向に沿って直線状に配置されているとみなして説明する。また、図１０では、印刷用紙Ｐが停止し、印刷ヘッド３６が移動しているように示しているが、実際の印刷動作では印刷用紙Ｐが搬送されることにより、印刷ヘッド３６と印刷用紙Ｐとの相対位置が変化する。以下の説明では、各印刷ヘッドと各ノズルとに番号を付し、搬送方向下流側に位置する印刷ヘッド３６から順に第１印刷ヘッド〜第４印刷ヘッドといい、第１印刷ヘッドは、上述したカラープリンタ２０の最下流側の印刷ヘッド３６ａに、第４印刷ヘッドは、最下流側から４番目の印刷ヘッド３６ｄに、相当する。また、各印刷ヘッド３６が有するノズルは、搬送方向下流側に位置するノズルから順に第１ノズル〜第７ノズルという。
【００７５】
４パスオーバーラップ印刷モードにて画像を印刷する際には、キャリッジ２８がキャリッジ移動方向に往復移動する際の最初の往路（１パス目）にてすべてのノズルからインクを吐出して、各ノズルに割り付けられた領域にそれぞれドットを形成する。このとき複数のドットで構成されるドット列がキャリッジ移動方向に沿って形成され、各ドットは互いに３ドット分の間隔が隔てられている。
【００７６】
次に印刷用紙Ｐが７ドット分搬送され、キャリッジ２８が復路（２パス目）方向に移動され、すべてのノズルからインクが吐出されて、各ノズルに割り付けられた領域にドットが形成される。このとき形成されるドット列も、キャリッジ移動方向に隣り合うドット同士が互いに３ドット分の間隔が隔てられている。そして、復路にて形成されたドット列は、往路にて形成されたドット列と、搬送方向において隣接する位置に形成される。また、復路にて形成された複数のドットは、キャリッジ移動方向において、往路にて形成された各ドットの間に位置している。
【００７７】
次に、再び印刷用紙Ｐが７ドット分搬送され、キャリッジ２８が往路（３パス目）方向に移動され、すべてのノズルからインクが吐出されて、各ノズルに割り付けられた領域にドットが形成される。このとき形成されるドット列もキャリッジ移動方向に隣り合うドット同士が互いに３ドット分の間隔が隔てられている。そして、２回目の往路にて形成されたドット列は、前記復路にて形成されたドット列と、搬送方向において隣接する位置に形成される。また、２回目の往路にて形成されたドット列を構成するドットは、キャリッジ移動方向において、最初の往路にて形成された各ドットと復路にて形成されたドットとの間に形成されている。このように、印刷用紙Ｐをドット７個分ずつ搬送した後に、キャリッジ２８を移動させると共に各ノズルからインクを吐出して、互いのドット間隔が３ドット分の隔てられたドット列を形成する動作を繰り返す。このような印刷動作を実行すると、図示するように、１パス目の第４印刷ヘッドの第１ノズルと、５パス目の第３印刷ヘッドの第１ノズルと、９パス目の第２印刷ヘッドの第１ノズルと、１３パス目の第１印刷ヘッドの第１ノズルとが、キャリッジ移動方向に並ぶことになる。すなわち、このような印刷モードにて印刷される画像は、各印刷ヘッドの第１ノズル同士、第２ノズル同士、第３ノズル同士、第４ノズル同士、第５ノズル同士、第６ノズル同士、第７ノズル同士にて形成されるドットにて、１本のラスタラインが構成されることになる。
【００７８】
すなわち、各印刷ヘッド３６に設けられた同番号のノズル同士にて形成されるドットの搬送方向における形成位置をあわせるべく、搬送量を設定し、設定した搬送量に基づいて制御すればよい。
【００７９】
図１１は、搬送量を設定するために用いる調整用パターンの第１実施例を示す図である。この調整用パターン１０は、キャリッジ２８の移動方向に沿って形成された４本のドット列で構成された４パスオーバーラップ印刷モード用の搬送量を設置するための調整用パターン１０である。各々のドット列は、第１印刷ヘッド〜第４印刷ヘッドに設けられた同番号のノズルにてそれぞれ印刷されている。ここでは、各印刷ヘッドに設けられた第１ノズルにて調整用パターンを印刷するものとする。
【００８０】
図１２は、第１実施例の調整用パターン１０の形成方法を説明するための図である。
【００８１】
第１実施例の調整用パターン１０の形成方法は、図１０に示すように、まず印刷用紙Ｐを、その先端が第４印刷ヘッドの第１ノズルより十分に下流側に位置するところまで搬送する（Ｓ１０１）。このとき、ロール紙がキャリッジ２８と対向する部分の全域に渡って配置されている場合には、この動作を必要としない。ここで、調整用パターン１０を印刷する印刷用紙Ｐは、実際に画像を印刷する際に用いる印刷用紙が望ましい。この例では、４パスオーバーラップ印刷モードは、いわゆる高画質の画像を印刷するための印刷モードなので、印刷用紙としては例えば写真用紙等が用いられる。
【００８２】
印刷用紙Ｐが搬送されると、キャリッジ２８の最初の移動（１パス目）を実行し、第４印刷ヘッド３６ｄの第１ノズルのみから、第１ノズルに割り付けられた領域にインクを吐出して所定長さだけ、キャリッジ移動方向に沿ったドット列（以下、第１サブパターンという）を印刷する（Ｓ１０２）。このとき、システムコントローラ５４からはキャリッジ移動方向に所定の距離の間の割り付けられた領域にすべて画素を形成するための画像データが出力される。この結果、第１サブパターンとして、所定長さの実線が形成される。すなわち、第４印刷ヘッドが、請求項に係る第１インク吐出部群に相当する。
【００８３】
次に、キャリッジ２８を移動した際に、第３印刷ヘッド３６ｃの第１ノズルが、第１サブパターンを形成した領域と対向するように、予め設定される搬送量（既定搬送量）に基づいて印刷用紙Ｐを搬送する。すなわち、予め設定されている搬送量にて、印刷用紙Ｐを７ドット分の距離ずつ間欠的に４回搬送させる（Ｓ１０３）。このとき、一度に２８ドット分の距離を搬送しないのは、実際に画像を印刷する場合の搬送方法と同じくするためである。すなわち、同じように搬送モータ３１を駆動しても、１回の搬送量が大きい場合には誤差を含みやすく、１回の搬送量が小さい方が精度良く搬送される傾向があるため、実際に画像を印刷する際と同じ搬送方法としている。また、印刷用紙Ｐを搬送すると同時に、すべてのノズルからインクを吐出することなくキャリッジ２８を復路方向に移動する。このキャリッジ２８の移動も、調整用パターン１０を形成する際の動作を、実際に画像を印刷する際の動作にあわせるために実行する。すなわち、実際に画像を印刷する際に、第４印刷ヘッド３６ｄの第１ノズルにて既に形成されているドットと並べて、第３ヘッド３６ｃの第１ノズルにてドットを形成する動作は５パス目で行われる。すなわち、キャリッジ２８を往復移動させて画像を印刷する際には、５パス目は往路方向への移動となるため、調整用パターン１０を形成する際の動作と実際の印刷時の動作とを合わせている。このように、実際に画像を印刷する際の動作と、調整用パターン１０を印刷する際の動作を合わせることにより、より正確な搬送量を設定することが可能となる。
【００８４】
そして、印刷用紙Ｐを７ドット分の距離ずつ間欠的に４回搬送させるとともに、キャリッジ２８を復路方向に移動させた後、キャリッジ２８を往路方向に移動させつつ、第３印刷ヘッド３６ｃの第１ノズルのみから、割り付けられた領域にインクを吐出させて、キャリッジ移動方向に沿った所定長さのドット列、すなわち第２サブパターンを印刷する（Ｓ１０４）。このとき、システムコントローラ５４からはキャリッジの移動方向に所定長さの破線を形成するための画像データが出力され、第２サブパターンとして、所定長さの破線が形成される。すなわち、第３印刷ヘッドが、請求項に係る第２インク吐出部群に相当
する。
【００８５】
次に、予め設定されている搬送量にて、印刷用紙Ｐを７ドット分の距離ずつ間欠的に４回搬送させるとともに、すべてのノズルからインクを吐出することなくキャリッジ２８を復路方向に移動する（Ｓ１０５）。その後、キャリッジ２８を往路方向に移動させつつ、第２印刷ヘッド３６ｂの第１ノズルのみから割り付けられた領域にインクを吐出させて、キャリッジ移動方向に沿った所定長さのドット列、すなわち第３サブパターンを印刷する（Ｓ１０６）。このとき、システムコントローラ５４からはキャリッジの移動方向に所定長さの一点鎖線を形成するための画像データが出力され、第３サブパターンとして、所定長さの一点鎖線が形成される。
【００８６】
そしてさらに、予め設定されている搬送量にて、印刷用紙を７ドット分の距離ずつ間欠的に４回搬送させるとともに、すべてのノズルからインクを吐出することなくキャリッジを復路方向に移動する（Ｓ１０７）。その後、キャリッジ２８を往路方向に移動させつつ、第１印刷ヘッド３６ａの第１ノズルのみから割り付けられた領域にインクを吐出させて、キャリッジ移動方向に沿った所定長さのドット列、すなわち第４サブパターンを印刷する（Ｓ１０８）。このとき、システムコントローラ５４からはキャリッジの移動方向に所定長さの二点鎖線を形成するための画像データが出力され、第４サブパターンとして、所定長さの二点鎖線が形成される。
【００８７】
このようにして印刷された調整用パターン１０に含まれる４本のサブパターンは、各印刷ヘッドにて形成されるドットの搬送方向における位置が、目標位置と一致している場合には、重ねて印刷されるため１本となる。また、各印刷ヘッドにて形成されるドットの搬送方向における位置が、目標位置とずれている場合には、図１１に示すように、搬送方向に離れた２本以上の線となる。第１実施例の調整用パターンは、各印刷ヘッド３６にて形成されるサブパターンを、それぞれ異なる種類の線とすることにより、各印刷ヘッドと、各々の印刷ヘッドにて形成されるサブパターンとを対応付けて識別可能としている。
【００８８】
本実施形態における調整パターンは、４本のサブパターンにて構成されているが、サブパターンの数は、１つのラスタラインを構成するノズルを有する印刷ヘッドの数に依存する。すなわち、例えば２つの印刷ヘッドを用いて１つの画像を形成する場合の調整用パターンには、２つのサブパターンが含まれており、８つの印刷ヘッドを用いて１つの画像を形成する場合の調整用パターンには、８つのサブパターンが含まれることになる。そして、１つの調整用パターンに含まれる各サブパターンは、それぞれ形成した印刷ヘッドに対応付けて識別可能に形成される。
【００８９】
＝＝＝調整用パターンに基づく搬送量の設定方法＝＝＝
図１１に示す調整用パターンを用いて、各印刷ヘッドに設けられた同番号のノズル同士にて形成されるドットの搬送方向における形成位置をあわせるべく搬送量を設定する方法を説明する。
【００９０】
印刷された調整用パターン１０は、４つの印刷ヘッド３６ａ〜３６ｄにて各々形成されたサブパターンの搬送方向における互いの位置ズレ量を示している。このため、いずれかのサブパターンを基準とし、基準となるサブパターンと、他のサブパターンとのズレ量を各々測定し、測定したズレ量分だけ、印刷用紙Ｐを搬送する際の搬送量を調整すればよい。ところが、各印刷ヘッドに対する適正な搬送量は必ずしも一致するとは限らない。そして、本実施形態においては４つの印刷ヘッドにて１つの画像を印刷するので、搬送された印刷用紙Ｐに４つの印刷ヘッドに設けられたノズルからインクが吐出されることになる。すなわち、印刷用紙Ｐは、４つの印刷ヘッドに対し、同じ搬送量にて搬送されることになり、１枚の印刷用紙Ｐを各々の印刷ヘッドに対応させた搬送量にて搬送することはできない。このため、本実施形態では基準となるサブパターンに対する他のサブパターンのズレ量を各々測定し、測定したズレ量を、印刷パターンを形成する際に間欠的に搬送する搬送回数にて除した値（平均値）を求めて、印刷用紙を搬送する際の調整値とする。
【００９１】
基準となるサブパターンは、キャリッジ２８の移動時に最も安定した状態にてインクを吐出することが可能な印刷ヘッドが有するノズルから吐出されたインクにて形成されることが望ましい。最も安定した状態にてインクを吐出することが可能な印刷ヘッド３６とは、例えば、キャリッジ２８の移動による振動を受けにくい印刷ヘッド３６である。本実施形態においては、上述したようにキャリッジ２８の牽引力の作用線ＳＬにおける中点４６が最も振動を受けにくい部位であり、キャリッジ２８の上側に位置する４つの印刷ヘッド３６ａ〜３６ｄのうちでは、作用線ＳＬの中点４６に最も近い第４印刷ヘッド３６ｄが最も振動を受けにくい。よって、第４印刷ヘッド３６ｄにて形成された第１サブパターンを基準とする。
【００９２】
本実施形態では、４つの印刷ヘッドにて各々形成されるドットの搬送方向における位置を合わせることとしたため、作用線ＳＬの中点４６に最も近い第４印刷ヘッド３６ｄにて形成された第１サブパターンを基準としたが、基準となるサブパターンを形成する印刷ヘッドは第４印刷ヘッド３６ｄに限るものではない。例えば、第１印刷ヘッド３６ａと第３印刷ヘッド３６ｃとにて、また、第２印刷ヘッド３６ｂと第３印刷ヘッド３６ｃとにて１つの画像を印刷する場合には、それら２つの印刷ヘッドのうち、作用線ＳＬに近い側に位置する第３印刷ヘッド３６ｃにて形成されたサブパターンを基準とすることが望ましい。このときには、調整用パターンを構成するサブパターンが２本なので、測定したズレ量がそのまま調整値となる。
【００９３】
また、キャリッジ２８に設けられた８つの印刷ヘッドを用いて１つの画像を印刷する場合には、第４印刷ヘッド又は第５印刷ヘッドのいずれかにて形成されたサブパターンを基準としても良い。すなわち、基準となるサブパターンを形成する印刷ヘッド３６は、作用線ＳＬから最も離れた位置に配置されキャリッジの移動による振動を受けやすい第１印刷ヘッド３６ａ及び第８印刷ヘッド３６ｈを除く印刷ヘッド３６にて形成されたサブパターンであれば良い。
【００９４】
そして、調整用パターン１０に基づく搬送量の設定は、調整用パターン１０の印刷動作から継続して実行される。図１３は、搬送量の設定方法を説明するための図である。
【００９５】
まず、使用者により、搬送量を設定するための指令信号が、例えば接続されたコンピュータ等から印刷用紙、印刷モードとの情報と共に入力されると（Ｓ２０１）、カラープリンタ２０はシステムコントローラ５４の制御により上述した方法にて４本のサブパターンで構成された調整用パターン１０を印刷する（Ｓ２０２）。４本のサブパターンが形成されると、調整用パターン情報取得部１３の読取部１１が調整用パターン１０を読取可能な位置まで、システムコントローラ５４の制御により印刷用紙Ｐが搬送される（Ｓ２０３）。
【００９６】
印刷用紙Ｐが所定の位置に搬送されると、システムコントローラ５４は調整用パターン情報取得部１３の読取部１１にて調整用パターン１０を読み取り（Ｓ２０４）、信号処理部１２では、読み取った情報に基づいて各サブパターン間の距離を測定する（Ｓ２０５）。読取部１１は、例えばＣＣＤセンサを用いたカメラであり、ＣＣＤセンサを構成するフォトダイオード毎の濃度情報を、ＣＣＤセンサの解像度に応じた分解能にて取得して、各濃度情報を電気信号に変換することにより読み取っている。このため、信号処理部１２では、高い濃度を示す電気信号が出力されたフォトダイオードに対応する位置がサブパターンとして認識され、高い濃度を示す電気信号が出力された複数のフォトダイオード間に存在するフォトダイオードの数から距離を換算することにより、サブパターン間のズレ量を測定することが可能である。
【００９７】
サブパターン間の距離を測定した際に、調整用パターン１０を構成するサブパターンの数を検出し、信号処理部１２はサブパターンが３本以上あるか否かを判定する（Ｓ２０６）。サブパターンが３本以上あると判定されると、信号処理部１２により、それらの平均値が算出される（Ｓ２０７）。このとき、各ラスタラインは、信号処理部１２により、形成された印刷ヘッド３６に対応付けてそれぞれ識別される。そして、基準となるラスタラインと、他のラスタラインとのズレ量が測定されて、それらの総和が求められる。ここで、ズレ量の総和は、測定されるズレ量を、ズレの方向により搬送方向における双方向の一方が正の値、他方が負の値として求められる。次に、印刷パターンを印刷する際に、最初のラスタラインが形成された後から最後のラスタラインが形成されるまでの間に、間欠的に搬送された回数にて、求めた総和が除される。これにより、間欠的な各搬送におけるズレ量の平均値が算出される。
【００９８】
算出された平均値は調整情報として、入力された印刷用紙、印刷モード等の情報と対応付けられ、システムコントローラ５４によりＥＥＰＲＯＭ５８に記憶される。一方調整用パターン１０を構成するサブパターンが３本より少ないと判定された場合には、測定されたズレ量が調整情報としてそのまま、ＥＥＰＲＯＭ５８に記憶される（Ｓ２０８）。
【００９９】
ところで、印刷用紙Ｐの搬送量は、ロータリー式エンコーダ１６にて制御されるため、印刷用紙Ｐを搬送するために既に設定されている既定搬送量は、回転させるべき搬送モータ３１の回転量がロータリー式エンコーダ１６のパルス数にて設定されている。このため、ＥＥＰＲＯＭ５８に記憶される平均値は、ロータリー式エンコーダ１６の分解能に対応させたパルス数である。すなわち、算出されたズレ量の平均値分に相当するパルス数が、ＥＥＰＲＯＭ５８に記憶されており、画像を印刷する際には、記憶されているパルス数が既定搬送量を示すパルス数に加算、又は、記憶されているパルス数が既定搬送量を示すパルス数から減算されることにより搬送量が調整される。
【０１００】
図１４は、画像を印刷する際の処理を説明するための図である。  
カラープリンタ２０に印刷指令信号が入力されると（Ｓ３０１）、システムコントローラ５４は、印刷指令信号に含まれる情報から印刷モード、印刷すべき印刷媒体の種類を示す情報を取得する（Ｓ３０２）。システムコントローラ５４は、取得した印刷モード、印刷媒体の種類等の情報に基づいて、ＥＥＰＲＯＭ５８に記憶されている搬送量の調整値を示す調整情報を取得する（Ｓ３０３）。システムコントローラ５４は、取得した調整値を既定搬送量に加算、又は、既定搬送量から減算して、印刷モード、印刷媒体の種類等に適した搬送量を算出する（Ｓ３０４）。その後、システムコントローラ５４の制御によりカラープリンタ２０は、算出した搬送量に基づいて、印刷用紙の搬送しつつ印刷処理を実行する（Ｓ３０５）。
【０１０１】
このような調整用パターンの形成方法によれば、互いに異なる印刷ヘッド３６にて形成された第１サブパターンと、第２サブパターンとを線の種類を相違させることにより、識別可能としたので、各々の印刷ヘッド３６にて形成されたドットの位置を確実に認識することが可能な調整用パターンを容易に形成することが可能である。このため、互いに異なる印刷ヘッド３６により各々形成されるドットの位置を容易に認識し、適切に調整することが可能である。
【０１０２】
また、第１サブパターン及び第２サブパターンは、各々のノズルに割り付けられた領域にインク滴が吐出されて形成されることになる。このため、調整用パターンは、実際に画像を形成する際と同様のノズルからインクが吐出されて形成されるので、互いに異なる印刷ヘッド３６により各々形成されるドットの位置を、より正確に調整することが可能である。
【０１０３】
また、第１サブパターン及び第２サブパターンとして、印刷用紙が搬送される搬送方向と交差するキャリッジ移動方向に沿ったラスタラインが形成される。このため、第１サブパターン及び第２サブパターンにより、互いに異なる印刷ヘッド３６により各々形成されるドットの、搬送方向における位置のズレが認識しやすい調整用パターンを印刷することが可能である。よって、このような調整用パターンの形成方法にて形成された調整用パターンに基づいて、互いに異なる印刷ヘッド３６により各々形成されるドットの、搬送方向における位置をより適切に調整することが可能である。
【０１０４】
＝＝＝調整用パターンの他の実施形態＝＝＝
前記第１実施形態では、調整用パターンを構成するサブパターンを、サブパターンにて構成される線の種類を互いに違えることにより、いずれの印刷ヘッドにて形成されたサブパターンかを識別可能としたが、識別方法はこれに限るものではない。
【０１０５】
図１５は、調整用パターンの第２の実施形態を説明するための図である。第２実施形態の調整用パターンでは、各印刷ヘッドにて形成されるドットの色、すなわち形成される線の色を違えることにより、いずれの印刷ヘッドにて形成されたドット列かを識別可能としている。図１５に示す例では、第４印刷ヘッドにて形成される第１サブパターンの色はブラックであり、第３印刷ヘッドにて形成される第２サブパターンの色はマゼンタであり、第２印刷ヘッドにて形成される第３サブパターンの色はシアンであり、第１印刷ヘッドにて形成される第４サブパターンの色はイエローである。このように、各印刷ヘッドにて形成されるサブパターンの色を違えることにより、容易に識別することが可能となる。ところで、第４サブパターンの色は淡色系のイエローであるため、イエローインクのみにてサブパターンを形成すると、視認性が悪く、また、印刷用紙とサブパターンとの間にて濃度の変化が小さいため、センサ等でも誤検知する畏れがある。このため、例えばマゼンタインクとイエローインクとを吐出するノズルからそれぞれインクを吐出し、２色のインクにてレッドのサブパターンを１本形成しても良い。すなわち、印刷ヘッドが多数あり、濃色系のインクにて、すべての印刷ヘッドを識別させることができない場合には、単に淡色系のインクのみにてサブパターンを形成せずに、他のインクと合わせてサブパターンを形成することが望ましい。
【０１０６】
図１６は、調整用パターンの第３実施形態を説明するための図である。第３実施形態の調整用パターンでは、各印刷ヘッドにて形成されるサブパターンと共に、当該サブパターンを形成するためにインクを吐出したノズルを有する印刷ヘッドを示す吐出部群情報を印刷することにより、いずれの印刷ヘッドにて形成されたサブパターンかを識別可能としている。本実施形態では、第１印刷ヘッドを示す吐出部群情報として「Ｈ１」を、第２印刷ヘッドを示す吐出部群情報として「Ｈ２」を、第３印刷ヘッドを示す吐出部群情報として「Ｈ３」を、第４印刷ヘッドを示す吐出部群情報として「Ｈ４」を、それぞれサブパターンの一方の端部側に印刷している。すなわち、サブパターンは所定のノズル列のいずれかのノズルからインクを吐出して形成され、吐出部群情報は、例えば、「Ｈ１」を印刷するための画像データに基づいて、ノズル列が有するノズルのうち対応するノズルからインクを吐出して形成される。この吐出部群情報は、「Ｈ１」等の表記に限らず、単に「１」「（１）」などの数字でも良いし、予め各印刷ヘッドに対応付けられたアルファベットや、「▲」「●」等の記号であっても良い。
【０１０７】
図１７は、調整用パターンの第４実施形態を説明するための図である。前述した第３実施形態では、サブパターンの長さ、及び、吐出部群情報を印刷する位置を、いずれの印刷ヘッドにて形成されるサブパターンも同様に印刷する調整用パターンについて説明した。ところが、各サブパターン、及び、吐出部群情報が重なって印刷された場合には、各々のサブパターンを識別しにくい場合がある。このため第４実施形態の調整用パターンでは、各サブパターンが重なった場合であっても、吐出部群情報が重なって印刷されないように、キャリッジ移動方向における吐出部群情報を印刷する位置を互いに異ならせている。すなわち、各印刷ヘッドにて形成されるサブパターンの一方の端部のキャリッジ移動方向における位置を、異ならせることにより、各サブパターンの長さをそれぞれ異ならせる。そして、キャリッジ移動方向における位置を異ならせた端部側に、当該端部の位置に対応させるとともに、キャリッジ移動方向の位置を異ならせて、各々のサブパターンに対応する吐出部群情報が重ならないように、各サブパターンを印刷している。すなわち、各印刷ヘッド３６にて形成されるドットの搬送方向における位置が適切で、各ドットが重なるように各サブパターンが形成される場合であっても、各サブパターンの一方の端部、及び、印刷される吐出部群情報は、移動方向において互いに相違する位置に形成される。このため、各サブパターン同士が全域に亘って重なることはなく、また、吐出部群情報が重ねられて印刷されることはない。よって、各々のインク吐出部群にて形成された各々のサブパターンを確実に識別することが可能である。ここで、サブパターンの長さは、必ずしも異ならせる必要はなく、同じ長さのサブパターンの端部の位置のみを、キャリッジ移動方向に異ならせても構わない。また、吐出部群情報は、サブパターンの両端に印刷しても構わない。
【０１０８】
図１８は、調整用パターンの第５実施形態を説明するための図である。第１〜４実施形態の調整用パターンでは、各印刷ヘッドにて形成されるサブパターンが有するドット列を１列としたが、第５実施形態では、各印刷ヘッドにて形成される２本のドット列を１つのサブパターンとしている。そして、本実施形態の印刷ヘッド３６が有するノズル列の配列において、キャリッジ移動方向における両端に位置するノズル列であって、各ノズル列において搬送方向の同じ位置に設けられているノズルにて、２本のドット列は形成される。本実施形態の場合には、各印刷ヘッドにてラスタラインを形成するノズルを、ブラックインクを吐出するブラックノズル列と、イエローインクを吐出するイエローノズル列のそれぞれ第１ノズルとしている。このように、２つのノズルからインクを吐出して２本のドット列にて構成されるサブパターンを有する調整用パターンを形成する理由は以下の通りである。図１９は、各印刷ヘッドにて２本のドット列を形成する理由を説明するための図である。図示するように、いずれかの印刷ヘッドが傾いて取り付けられていた場合に、キャリッジ移動方向に沿うサブパターンを形成すると、各ノズル列にて形成されるドット列の、搬送方向における位置が相違する。すなわち、例えばブラックのドット列にて構成された調整用パターンに基づいて、すべてのノズルから吐出されたインクにて形成されるドットの位置を調整してしまうと、必ずしも適切な位置にドットが形成されない場合がある。このため、いずれのノズル列にて形成されるドットであっても、平均的にズレ量が分散されるような位置に形成されるように、キャリッジ移動方向における両端に位置するノズル列にてそれぞれ形成したドット列のサブパターンを有する調整用パターンを印刷する。そして、各印刷ヘッドにて形成された２本のドット列間の中間の位置同士のズレ量に基づいて、ドットの形成位置を調整することとしている。本実施形態においては、キャリッジ移動方向における両端に位置するノズル列、すなわち最も間隔を隔てたノズル列にてそれぞれドット列を形成したが、必ずしも両端のノズル列でなくても良い。しかしながら、複数有するノズル列にて形成されるドット列の平均位置を求めるのであれば、印刷ヘッドの両端に位置するノズル列にて調整用パターンを印刷することにより、より平均的な位置を求めることが可能である。
【０１０９】
上記実施形態においては、第１実施形態から第５実施形態まで各々別個に説明したが、例えば、各印刷ヘッドにて形成されるドット列の色と、線の種類とを相違させるというように、識別するための方法を相互に組み合わせることにより、より識別しやすい調整用パターンを形成することが可能である。
【０１１０】
上記実施形態においては、調整用パターンを、互いに異なる印刷ヘッド３６に設けられた同番号のノズル同士からそれぞれインクを吐出させて形成したドット列にて構成する例について説明したが、各印刷ヘッドの異なる番号のノズルにて形成したドット列にて構成しても良い。例えば、第１印刷ヘッド３６ａの第４ノズル、第２印刷ヘッド３６ｂの第３ノズル、第３印刷ヘッド３６ｃの第２ノズル、第４印刷ヘッド３６ｄの第１ノズルを用い、上記実施形態と同様に印刷用紙を搬送させて調整用パターンを形成する。この場合には、各印刷ヘッド３６にて形成されたドット列の搬送方向における位置がそれぞれ適正な位置である場合には、各ドット列がノズルピッチ分の距離を隔てて形成されることになる。このため、各印刷ヘッド３６にて形成されたドット列を容易に識別することが可能である。また、この場合には、システムコントローラ５４は調整用パターン情報取得部１３の読取部１１にて調整用パターン１０を読み取り、信号処理部１２では、読み取った情報に基づいて各サブパターン間の距離を測定し、測定した値からノズルピッチ分に相当する距離を減算することにより、各ドット列のずれ量を算出することが可能である。
【０１１１】
＝＝＝異なる印刷モードの搬送量を設定するための調整用パターン例＝＝＝
図２０は、２パスオーバーラップ印刷モードにて画像を印刷する際におけるノズルと用紙の相対位置を説明するための図である。この例は、２つの印刷ヘッドが各々有するノズルからそれぞれインクを吐出し、形成されたドットにて１本のラスタラインを形成する印刷モード（以下、２パスオーバーラップ印刷モードという）の搬送量の設定について説明する。上述した例と同様に、各印刷ヘッドが有するノズル列は各々７個のノズルを有しており、各印刷ヘッドが有するノズル列のうち１つのノズル列が搬送方向に沿って直線状に配置されているとみなして説明する。
【０１１２】
２パスオーバーラップ印刷モードでは、図示するように、１パス目の第３印刷ヘッドの第１ノズルと、５パス目の第１印刷ヘッドの第２ノズルとが、また、１パス目の第４印刷ヘッドの第１ノズルと、５パス目の第２印刷ヘッドの第２ノズルとが、キャリッジ移動方向に並ぶことになる。このため、第３印刷ヘッドの第１ノズルと、第１印刷ヘッドの第２ノズルとにて形成されるドットの搬送方向における形成位置、及び、第４印刷ヘッドの第１ノズルと、第２印刷ヘッドの第２ノズルとにて形成されるドットの搬送方向における形成位置をそれぞれあわせるべく、搬送量を設定し、設定した搬送量に基づいて制御すればよい。
【０１１３】
２パスオーバーラップ印刷モードにて印刷する際の搬送量を調整するための調整用パターンの形成方法は、まず、印刷用紙Ｐを所定位置に搬送して、キャリッジ２８の最初の移動（１パス目）を実行し、第３印刷ヘッド３６ｃの第１ノズルと第４印刷ヘッド３６ｄの第１ノズルとから、各第１ノズルに割り付けられた領域にインクを吐出して所定長さだけ、キャリッジ移動方向に沿った第１サブパターンとして、所定長さの実線を印刷する。
【０１１４】
次に、キャリッジ２８を移動した際に、第１印刷ヘッド３６ａの第２ノズルが、第１サブパターンを形成した領域と対向するように、予め設定される搬送量（既定搬送量）に基づいて印刷用紙Ｐを搬送する。すなわち、予め設定されている搬送量にて、印刷用紙Ｐを１３ドット分の距離ずつ間欠的に４回搬送させる。その後、キャリッジ２８を往路方向に移動させつつ、第１印刷ヘッド３６ａの第２ノズルと第２印刷ヘッド３６ｂの第２ノズルとから、割り付けられた領域にインクを吐出させて、キャリッジ移動方向に沿った所定長さのドット列、すなわち第２サブパターンとして、所定長さの破線を形成する。  
このようにして、実線と破線とで対をなす２対の調整用パターンが形成される。この場合には、各調整用パターンのズレ量の平均値に基づいて搬送量を調整する。
【０１１５】
上述したように、画像を印刷する際の印刷用紙の既定搬送量は、印刷モードにより相違する。そして、既定搬送量が相違すると、例えば既定搬送量が大きい印刷モードより、既定搬送量が小さい印刷モードの方が搬送精度が高い場合があり、異なる印刷モードにて印刷する際に、同様に搬送量を制御しても良好な画像が印刷できない畏れがある。このため、印刷用紙Ｐの搬送量を制御するための調整用パターンを印刷モードに応じてそれぞれ印刷し、印刷された調整用パターンに基づいて、印刷用紙Ｐの搬送量を制御することにより、各印刷モードに適した搬送量にて印刷用紙Ｐを搬送することが可能である。このため、いずれの印刷モードであっても良好な画像を印刷することが可能である。
【０１１６】
＝＝＝その他の実施形態＝＝＝
本発明は上記実施形態に限られるものではなく、その要旨を逸脱しない範囲において種々の態様において実施することが可能であり、例えば次のような変形も可能である。
【０１１７】
（１）上記実施形態において、ハードウェアによって実現されていた構成の一部をソフトウェアに置き換えるようにしてもよく、逆に、ソフトウェアによって実現されていた構成の一部をハードウェアに置き換えるようにしてもよい。  
（２）本発明は、一般にインク滴を吐出するタイプの印刷装置に適用可能であり、カラーインクジェットプリンタ以外の種々の印刷装置に適用可能である。例えば、インクジェット方式のファクシミリ装置やコピー装置にも適用可能である。  
（３）上記実施形態においては、印刷システムを、カラープリンタ２０、コンピュータ９０、表示装置、入力装置、及び、ドライブ装置等にて構成した例について説明したが、これに限られるものではない。例えば、印刷システムが、コンピュータ９０とカラープリンタ２０とから構成されても良く、印刷システムが表示装置、入力装置及びドライブ装置のいずれかを備えていなくても良い。
【０１１８】
また、例えば、カラープリンタ２０が、コンピュータ９０、表示装置、入力装置、及び、ドライブ装置のそれぞれの機能又は機構の一部を持っていても良い。一例として、カラープリンタ２０が、画像処理を行う画像処理部、各種の表示を行う表示部、及び、デジタルカメラ等により撮影された画像データを記録した記録メディアを着脱するための記録メディア着脱部等を有する構成としても良い。
【０１１９】
また、上述した実施形態における、プリンタを制御するコンピュータプログラムが、プリンタコントローラのメモリに記憶されており、プリンタコントローラがこのコンピュータプログラムを実行することにより、上述した実施形態のプリンタ動作を達成してもよい。
【０１２０】
このようにして実現された印刷システムは、システム全体として従来システムよりも優れたシステムとなる。
【図面の簡単な説明】
【０１２１】
【図１】本発明にかかるカラープリンタの構成の一例を示す斜視図。
【図２】ロータリー式エンコーダの構成を模式的に示した説明図。
【図３】図３Ａは、搬送モータ正転時におけるロータリー式エンコーダの２つの出力信号の波形を示したタイミングチャート、図３Ｂは、搬送モータ逆転時におけるロータリー式エンコーダの２つの出力信号の波形を示したタイミングチャート。
【図４】印刷ヘッドが有するノズルの配列を説明するための説明図。
【図５】隣接する複数の印刷ヘッドの配置と、それら印刷ヘッドが有するノズル列の位置関係を示す図。
【図６】カラープリンタを備えた印刷システムの構成を示すブロック図。
【図７】画像処理ユニットの構成を示すブロック図。
【図８】ヘッド制御ユニット（図６）内に設けられた駆動信号発生部の構成を示すブロック図。
【図９】駆動信号発生部の動作を示す原駆動信号ＯＤＲＶ、印刷信号ＰＲＴ（ｉ）、駆動信号ＤＲＶ（ｉ）のタイミングチャート。
【図１０】４パスオーバーラップ印刷モードにて画像を印刷する際におけるノズルと印刷用紙の相対位置を説明するための図。
【図１１】搬送量を設定するために用いる調整用パターンの第１実施例を示す図。
【図１２】第１実施例の調整用パターンの形成方法を説明するための図。
【図１３】搬送量の設定方法を説明するための図。
【図１４】画像を印刷する際の処理を説明するための図。
【図１５】調整用パターンの第２実施形態を説明するための図。
【図１６】調整用パターンの第３実施形態を説明するための図。
【図１７】調整用パターンの第４実施形態を説明するための図。
【図１８】調整用パターンの第５実施形態を説明するための図。
【図１９】各印刷ヘッドにて２本のドット列を形成する理由を説明するための図。
【図２０】２パスオーバーラップ印刷モードにて画像を印刷する際におけるノズルと印刷用紙の相対位置を説明するための図。
【符号の説明】
【０１２２】
３  印刷部，５  印刷用紙搬送部，１０  調整用パターン，１１  読取部，１２  信号処理部，１３  調整用パターン情報取得部，１６  ロータリー式エンコーダ，１６ａ  ダイオード，１６ｂ  コリメータレンズ，１６ｃ  検出処理部，１６ｄ  フォトダイオード，１６ｅ  信号処理回路，１６ｆＡ  コンパレータ，１６ｆＢ  コンパレータ，１７  リニア式エンコーダ，１８  エンコーダ用符号盤，１９  リニア式エンコーダ用符号板，２０  カラープリンタ，２１  ＣＲＴ，２４  紙搬送ローラ，２６  プラテン，２７  ホルダ，２７ａ  軸体，２７ｂ  円盤，２８  キャリッジ，２９  挟持ローラ，３０  キャリッジモータ，３１  搬送モータ，３２  牽引ベルト，３４  ガイドレール，３４１  下側のガイドレール，３４２  上側のガイドレール，３５  ロール紙保持部，３６  印刷ヘッド，３６ａ〜３６ｈ  印刷ヘッド，３７  ロール紙搬送部，３８  画像処理ユニット，４０  駆動ギア，４１  中継ギア，４４  プーリ，４６  作用線の中点，５０  バッファメモリ，５２  イメージバッファ，５４  システムコントローラ，５６  メインメモリ，５８  ＥＥＰＲＯＭ，６１  キャリッジモータ駆動回路，６２  搬送モータ駆動回路，６３  ヘッド制御ユニット，６７  インクタンク，９０  コンピュータ，９１  ビデオドライバ，９５  アプリケーションプログラム，９７  解像度変換モジュール，９８  色変換モジュール，９９  ハーフトーンモジュール，１００  ラスタライザ，１０１  ユーザインターフェース表示モジュール，１０２  ＵＩプリンタインターフェースモジュール，１０３  ラスタデータ格納部，２００  駆動信号発生部，２０４  マスク回路，２０６  原駆動信号発生部，２３０  駆動信号補正部，Ｎｃ  シアンノズル列，Ｎｋ  ブラックノズル列，Ｎｌｃ  ライトシアンノズル列，Ｎｌｍ  ライトマゼンタノズル列，Ｎｍ  マゼンタノズル列，Ｎｙ  イエローノズル列，Ｐ  印刷用紙，Ｔ１  各画素区間，Ｗ１  パルス，Ｗ２  パルス，ｎ  ノズル，ＬＵＴ  ルックアップテーブル，ＯＤＲＶ  原駆動信号，Ｓ１  係合部，Ｓ２  係合部，ＳＬ  作用線
【図１】
2006007616.tif 000003
【図２】
2006007616.tif 000004
【図３】
2006007616.tif 000005
【図４】
2006007616.tif 000006
【図５】
2006007616.tif 000007
【図６】
2006007616.tif 000008
【図７】
2006007616.tif 000009
【図８】
2006007616.tif 000010
【図９】
2006007616.tif 000011
【図１０】
2006007616.tif 000012
【図１１】
2006007616.tif 000013
【図１２】
2006007616.tif 000014
【図１３】
2006007616.tif 000015
【図１４】
2006007616.tif 000016
【図１６】
2006007616.tif 000017
【図１７】
2006007616.tif 000018
【図１８】
2006007616.tif 000019
【図２０】
2006007616.tif 000020
【図１５】
2006007616.tif 000021
【図１９】
2006007616.tif 000022